(57)【要約】      （修正有）【課題】一対の外殻部品と巻枠部品とで構成されており、厚い、ケーブル等長尺体の収納具の厚み寸法の低減を図ること、さらにその収納方法及びその方法に使用される収納中間治具を提供する。【解決手段】ケーブル収納具６０は、一対の外殻部品10とその間に着脱可能に組込まれる巻枠部品とでケーブル収納中間治具を形成する工程、この中間治具内にケーブルを巻き込んで収容する工程、巻き込んだケーブルを巻取り形状を保った状態で一方の外殻部品１０に移動させた後、巻枠部品と他方の外殻部品１０を取外す工程、ケーブルが格納された一方の外殻部品10に対しその開放側を閉止する、厚さが外殻部品に較べて薄い蓋部品50を組込んでケーブル収納具60を組立てる工程の各工程を経て得られる。【選択図】  図１６
2005015111.tif 000002
【特許請求の範囲】
【請求項１】
外周面に長尺体が巻き付けられる巻枠部を備える巻枠部品と、この巻枠部品を中央にしてその両側からそれぞれ着脱自在にかつ上記巻枠部の巻取り中心軸を中心にして互いに回転可能に連結されると共に巻枠部の直径方向における長尺体の逸脱を防止する外周壁並びに巻枠部の巻取り中心軸方向における長尺体の逸脱を防止する支持壁を各々備えて巻枠部外周面と上記外周壁および支持壁により長尺体収納空間を形成する一対の外殻部品とで構成される長尺体収納中間治具を組立てる工程と、
外周壁および支持壁に各々設けられたスリット部から成る各外殻部品のスリットの位置を整合させて長尺体収納口を形成し、上記巻枠部の巻取り中心軸と略平行に伸ばされた長尺体の任意部位をその幅方向一端側から上記長尺体収納口に挟み込み、かつ、一対の外殻部品を互いに逆方向へ回転させてそれぞれのスリットにより挟み込まれた部位の長尺体を上記長尺体収納空間内に引き込むと共に、引き込まれた長尺体を巻枠部外周面に巻き付ける工程と、
一方の外殻部品における外周壁と支持壁とで形成される収納スペースに、上記巻枠部外周面に巻き付けられた長尺体をその巻取り形状を保った状態で移動させ、次いで他方の外殻部品と巻枠部品を上記一方の外殻部品から取外す工程と、
上記収納スペースに長尺体が格納された一方の外殻部品に対し、その開放側を閉止しかつ上記巻取り中心軸を中心にして互いに回転可能に連結される蓋部品を組込んで長尺体収納具を組立てる工程、
の各工程を有することを特徴とする長尺体収納方法。
【請求項２】
請求項１記載の長尺体収納方法に使用される長尺体収納中間治具において、
中央に円形状の開口を有しかつこの外側に略リング状の支持壁を有する円盤状本体と、円盤状本体の外周縁部にその外周方向に亘り立設された外周壁と、円盤状本体の開口縁部にその開口縁方向に亘り立設された嵌合壁と、円盤状本体の外周縁に設けられた支持壁側スリット部と上記外周壁の支持壁側スリット部に対応した部位に設けられた外周壁側スリット部から成り上記長尺体収納口の一部を構成するスリットとを備え、上記外周壁並びに嵌合壁先端を内側にして互いに対向配置される一対の第一外殻部品並びに第二外殻部品と、
上記第一外殻部品並びに第二外殻部品の各嵌合壁内に摺動可能に嵌入される円筒状の嵌合部と、嵌合部における外周面の幅方向中央部に外周方向に亘り立設された仕切り体と、仕切り体の外周縁部に設けられかつ仕切り体を中央にして上記嵌合部外周面と略並行に延びる円筒状の巻枠部とを備え、上記嵌合部に設けられた係止爪を第一外殻部品並びに第二外殻部品における各嵌合壁の基端側円盤状本体に係止させて第一外殻部品並びに第二外殻部品に対し着脱可能に組み込まれる巻枠部品、
とで構成されることを特徴とする長尺体収納中間治具。
【請求項３】
巻枠部品における巻枠部の外径が上記巻取り中心軸の一方向に向かって単調に減少していることを特徴とする請求項２記載の長尺体収納中間治具。
【請求項４】
第一外殻部品並びに第二外殻部品における上記支持壁側スリット部と外周壁側スリット部とで構成されるスリットが、２以上設けられていることを特徴とする請求項２または３記載の長尺体収納中間治具。
【請求項５】
第一外殻部品並びに第二外殻部品における円盤状本体の外周壁と嵌合壁との間に、上記収納スペースに移動された長尺体の嵌合壁側への逸脱を防止する断面円弧状の内周壁が複数設けられていることを特徴とする請求項２〜４のいずれかに記載の長尺体収納中間治具。
【請求項６】
第一外殻部品並びに第二外殻部品における円盤状本体の上記外周壁形成側とは反対面上に、他の外殻部品における円盤状本体の上記反対面と相互に嵌合可能な形状を有する凹凸が設けられていることを特徴とする請求項２〜５のいずれかに記載の長尺体収納中間治具。
【請求項７】
請求項１記載の長尺体収納方法により得られる長尺体収納具において、
中央に円形状の開口を有しかつこの外側に略リング状の支持壁を有する円盤状本体と、円盤状本体の外周縁部にその外周方向に亘り立設された外周壁と、円盤状本体の開口縁部にその開口縁方向に亘り立設された嵌合壁と、円盤状本体の外周縁に設けられた支持壁側スリット部と上記外周壁の支持壁側スリット部に対応した部位に設けられた外周壁側スリット部から成り上記長尺体収納口の一部を構成するスリットとを備え、上記外周壁と支持壁とで形成される収納スペースに長尺体が格納された第一外殻部品または第二外殻部品と、
第一外殻部品または第二外殻部品における上記円盤状本体と略同一形状を有する蓋本体と、蓋本体の開口縁部に立設されその先端部が第一外殻部品または第二外殻部品における嵌合壁の基端側円盤状本体に係止される複数の係止爪とを備える蓋部品、
とで構成されることを特徴とする長尺体収納具。
【請求項８】
第一外殻部品または第二外殻部品における上記支持壁側スリット部と外周壁側スリット部とで構成されるスリットが、２以上設けられていることを特徴とする請求項７記載の長尺体収納具。
【請求項９】
第一外殻部品または第二外殻部品における円盤状本体の外周壁と嵌合壁との間に、上記収納スペースに格納された長尺体の嵌合壁側への逸脱を防止する断面円弧状の内周壁が複数設けられていることを特徴とする請求項７または８記載の長尺体収納具。
【請求項１０】
第一外殻部品または第二外殻部品における円盤状本体の上記外周壁形成側とは反対面上に、他の外殻部品における円盤状本体の上記反対面と相互に嵌合可能な形状を有する凹凸が設けられていることを特徴とする請求項７〜９のいずれかに記載の長尺体収納具。
【請求項１１】
上記蓋部品の係止爪形成側とは反対面上に、他の蓋部品における蓋本体の上記反対面と相互に嵌合可能な形状を有する凹凸が設けられていることを特徴とする請求項７〜１０のいずれかに記載の長尺体収納具。
【請求項１２】
第一外殻部品または第二外殻部品における円盤状本体の上記外周壁形成側とは反対面上に設けられた凹凸と、上記蓋部品の係止爪形成側とは反対面上に設けられた凹凸とが相互に嵌合可能な形状を有することを特徴とする請求項１０または１１記載の長尺体収納具。
【発明の詳細な説明】
【０００１】
【発明の属する技術分野】
本発明は、電線、光ファイバー等のコード／ケーブル類、薬液移送チューブ等の樹脂製チューブ類、線状の金属や繊維等柔軟な長尺体を巻き取って格納するための長尺体収納具に係り、特に、厚み寸法の低減が図れる長尺体収納具の改良に関するものである。
【０００２】
【従来の技術】
ケーブル等の長尺体を収納するこの種の長尺体収納具として、図２５および図３１に示す一対の外殻部品ａと、図２６および図３２に示す巻枠部品ｂとでその主要部が構成されるものが知られている。
【０００３】
まず、上記外殻部品ａは、一様に盛り上がった断面略台形状の中央凸部ａ１とその周縁部に形成された略リング形状の平坦支持壁ａ２と上記中央凸部ａ１の中心部に開設された係合孔ａ３とを有する略円盤形状の本体ａ４と、この本体ａ４の外周縁部にその外周方向に亘り立設された外周壁ａ５と、上記本体ａ４の外周縁に設けられた支持壁側スリット部ａ６と上記外周壁ａ５の支持壁側スリット部ａ６に対応した部位に設けられた外周壁側スリット部ａ７から成るスリットｓとで構成されている（図２５および図３１参照）。
【０００４】
他方、上記巻枠部品ｂは、図２６および図３２に示すように中心部に係合孔ｂ１が開設された円盤状の仕切り体ｂ２と、仕切り体ｂ２の外周縁部に設けられ仕切り体ｂ２を中央にして上記係合孔ｂ１の中心軸方向に延びる円筒状の巻枠部ｂ３とで構成されている。
【０００５】
そして、図２７と図３３に示すように上記巻枠部品ｂを中央にしてその両側から一対の上記外殻部品ａ、ａがその外周壁ａ５先端を対向させて組込まれ、かつ、上記係合孔ａ３と係合孔ｂ１を中心にしてボルトｃ１とナットｃ２を用いたネジ止め手段により上記外殻部品ａ、ａと巻枠部品ｂが互いに回転可能に一体化されて従来の長尺体収納具は構成されている（図２８、図２９参照）。
【０００６】
尚、一体化された上記巻枠部品ｂの巻枠部ｂ３外周面と上記外殻部品ａ、ａの各外周壁ａ５および支持壁ａ２とでケーブル等の長尺体収納空間ｄが長尺体収納具内に形成される（図３３Ｂ参照）。また、外殻部品ａの上記外周壁ａ５は、長尺体収納空間ｄに収納された長尺体についてその巻枠部ｂ３における直径方向の逸脱を防止する機能を有し、外殻部品ａの上記支持壁ａ２は、長尺体収納空間ｄに収納された長尺体についてその巻枠部ｂ３における巻取り中心軸方向の逸脱を防止する機能を有している。
【０００７】
そして、この長尺体収納具内にケーブル等の長尺体を収納するには、図３０（Ａ）に示すように上記外殻部品ａ、ａの各外周壁ａ５および支持壁ａ２に各々設けられたスリット部ａ６、ａ７から成る各外殻部品ａ、ａのスリットｓの位置を整合させて長尺体収納口ｅを形成し、上記巻枠部ｂ３の巻取り中心軸と略平行に伸ばされた長尺体ｋの任意部位をその幅方向一端側から上記長尺体収納口ｅに挟み込み、かつ、図３０（Ａ）〜（Ｂ）に示すように一対の外殻部品ａ、ａを互いに逆方向へ回転させてそれぞれのスリットｓにより挟み込まれた部位の長尺体ｋを上記長尺体収納空間ｄ内に引き込むと共に、引き込まれた長尺体ｋを巻枠部ｂ３外周面に巻き付けて長尺体ｋが長尺体収納具内に収納される。
【０００８】
【発明が解決しようとする課題】
ところで、従来の長尺体収納具における厚さ寸法は、収納するケーブル等長尺体の幅寸法の２倍以上を必要としている。例えば、複数の光ファイバが並んで束ねられた幅５ｍｍのテープ状多芯ケーブル等を巻き取る場合、長尺体収納具内に長尺体を導入するための各外殻部品におけるスリットの幅寸法は、図３０（Ｂ）に示すように５ｍｍ以上なければならない。
【０００９】
そして、各々の外殻部品におけるスリットの幅寸法が５ｍｍ以上有するためには各々の外殻部品における厚さ寸法も５ｍｍ以上でなければならず、一対の外殻部品と巻枠部品とで構成される従来の長尺体収納具における厚さ寸法は、幅５ｍｍのテープ状多芯ケーブル等を巻き取る場合に１０ｍｍ以上（すなわち、長尺体の幅寸法の２倍以上）なければならないことになる。
【００１０】
このように、一対の外殻部品と巻枠部品とで構成される従来の長尺体収納具においては、その厚さ寸法を大きく設定しなければならない問題点を有していた。
【００１１】
そして、個々の長尺体収納具の厚さ寸法が大きいことに起因して、複数の長尺体収納具を多段に積み重ねて保管するような場合、積み重ねの高さが著しく高くなるため大きな保管容積を必要とし、かつ、簡単に安定を失って積み重ねられた長尺体収納具が転倒し易いという問題点も有していた。
【００１２】
本発明はこの様な問題点に着目してなされたもので、その課題とするところは、厚み寸法の低減が図れる長尺体収納具を提供し、合わせて長尺体収納方法とこの方法に使用される長尺体収納中間治具を提供することにある。
【００１３】
【課題を解決するための手段】
すなわち、請求項１に係る発明は、
長尺体収納具内に長尺体を収納する方法を前提とし、
外周面に長尺体が巻き付けられる巻枠部を備える巻枠部品と、この巻枠部品を中央にしてその両側からそれぞれ着脱自在にかつ上記巻枠部の巻取り中心軸を中心にして互いに回転可能に連結されると共に巻枠部の直径方向における長尺体の逸脱を防止する外周壁並びに巻枠部の巻取り中心軸方向における長尺体の逸脱を防止する支持壁を各々備えて巻枠部外周面と上記外周壁および支持壁により長尺体収納空間を形成する一対の外殻部品とで構成される長尺体収納中間治具を組立てる工程と、
外周壁および支持壁に各々設けられたスリット部から成る各外殻部品のスリットの位置を整合させて長尺体収納口を形成し、上記巻枠部の巻取り中心軸と略平行に伸ばされた長尺体の任意部位をその幅方向一端側から上記長尺体収納口に挟み込み、かつ、一対の外殻部品を互いに逆方向へ回転させてそれぞれのスリットにより挟み込まれた部位の長尺体を上記長尺体収納空間内に引き込むと共に、引き込まれた長尺体を巻枠部外周面に巻き付ける工程と、
一方の外殻部品における外周壁と支持壁とで形成される収納スペースに、上記巻枠部外周面に巻き付けられた長尺体をその巻取り形状を保った状態で移動させ、次いで他方の外殻部品と巻枠部品を上記一方の外殻部品から取外す工程と、
上記収納スペースに長尺体が格納された一方の外殻部品に対し、その開放側を閉止しかつ上記巻取り中心軸を中心にして互いに回転可能に連結される蓋部品を組込んで長尺体収納具を組立てる工程、
の各工程を有することを特徴とする。
【００１４】
次に、請求項２に係る発明は、
請求項１記載の長尺体収納方法に使用される長尺体収納中間治具を前提とし、
中央に円形状の開口を有しかつこの外側に略リング状の支持壁を有する円盤状本体と、円盤状本体の外周縁部にその外周方向に亘り立設された外周壁と、円盤状本体の開口縁部にその開口縁方向に亘り立設された嵌合壁と、円盤状本体の外周縁に設けられた支持壁側スリット部と上記外周壁の支持壁側スリット部に対応した部位に設けられた外周壁側スリット部から成り上記長尺体収納口の一部を構成するスリットとを備え、上記外周壁並びに嵌合壁先端を内側にして互いに対向配置される一対の第一外殻部品並びに第二外殻部品と、
上記第一外殻部品並びに第二外殻部品の各嵌合壁内に摺動可能に嵌入される円筒状の嵌合部と、嵌合部における外周面の幅方向中央部に外周方向に亘り立設された仕切り体と、仕切り体の外周縁部に設けられかつ仕切り体を中央にして上記嵌合部外周面と略並行に延びる円筒状の巻枠部とを備え、上記嵌合部に設けられた係止爪を第一外殻部品並びに第二外殻部品における各嵌合壁の基端側円盤状本体に係止させて第一外殻部品並びに第二外殻部品に対し着脱可能に組み込まれる巻枠部品、
とで構成されることを特徴とする。
【００１５】
また、請求項３に係る発明は、
請求項２記載の発明に係る長尺体収納中間治具を前提とし、
巻枠部品における巻枠部の外径が上記巻取り中心軸の一方向に向かって単調に減少していることを特徴とし、
請求項４に係る発明は、
請求項２または３記載の発明に係る長尺体収納中間治具を前提とし、
第一外殻部品並びに第二外殻部品における上記支持壁側スリット部と外周壁側スリット部とで構成されるスリットが、２以上設けられていることを特徴とし、
請求項５に係る発明は、
請求項２〜４のいずれかに記載の発明に係る長尺体収納中間治具を前提とし、
第一外殻部品並びに第二外殻部品における円盤状本体の外周壁と嵌合壁との間に、上記収納スペースに移動された長尺体の嵌合壁側への逸脱を防止する断面円弧状の内周壁が複数設けられていることを特徴とし、
請求項６に係る発明は、
請求項２〜５のいずれかに記載の発明に係る長尺体収納中間治具を前提とし、
第一外殻部品並びに第二外殻部品における円盤状本体の上記外周壁形成側とは反対面上に、他の外殻部品における円盤状本体の上記反対面と相互に嵌合可能な形状を有する凹凸が設けられていることを特徴とするものである。
【００１６】
次に、請求項７に係る発明は、
請求項１記載の長尺体収納方法により得られる長尺体収納具を前提とし、
中央に円形状の開口を有しかつこの外側に略リング状の支持壁を有する円盤状本体と、円盤状本体の外周縁部にその外周方向に亘り立設された外周壁と、円盤状本体の開口縁部にその開口縁方向に亘り立設された嵌合壁と、円盤状本体の外周縁に設けられた支持壁側スリット部と上記外周壁の支持壁側スリット部に対応した部位に設けられた外周壁側スリット部から成り上記長尺体収納口の一部を構成するスリットとを備え、上記外周壁と支持壁とで形成される収納スペースに長尺体が格納された第一外殻部品または第二外殻部品と、
第一外殻部品または第二外殻部品における上記円盤状本体と略同一形状を有する蓋本体と、蓋本体の開口縁部に立設されその先端部が第一外殻部品または第二外殻部品における嵌合壁の基端側円盤状本体に係止される複数の係止爪とを備える蓋部品、
とで構成されることを特徴とする。
【００１７】
また、請求項８に係る発明は、
請求項７記載の発明に係る長尺体収納具を前提とし、
第一外殻部品または第二外殻部品における上記支持壁側スリット部と外周壁側スリット部とで構成されるスリットが、２以上設けられていることを特徴とし、
請求項９に係る発明は、
請求項７または８記載の発明に係る長尺体収納具を前提とし、
第一外殻部品または第二外殻部品における円盤状本体の外周壁と嵌合壁との間に、上記収納スペースに格納された長尺体の嵌合壁側への逸脱を防止する断面円弧状の内周壁が複数設けられていることを特徴とし、
請求項１０に係る発明は、
請求項７〜９のいずれかに記載の発明に係る長尺体収納具を前提とし、
第一外殻部品または第二外殻部品における円盤状本体の上記外周壁形成側とは反対面上に、他の外殻部品における円盤状本体の上記反対面と相互に嵌合可能な形状を有する凹凸が設けられていることを特徴とし、
請求項１１に係る発明は、
請求項７〜１０のいずれかに記載の発明に係る長尺体収納具を前提とし、
上記蓋部品の係止爪形成側とは反対面上に、他の蓋部品における蓋本体の上記反対面と相互に嵌合可能な形状を有する凹凸が設けられていることを特徴とし、
請求項１２に係る発明は、
請求項１０または１１記載の発明に係る長尺体収納具を前提とし、
第一外殻部品または第二外殻部品における円盤状本体の上記外周壁形成側とは反対面上に設けられた凹凸と、上記蓋部品の係止爪形成側とは反対面上に設けられた凹凸とが相互に嵌合可能な形状を有することを特徴とするものである。
【００１８】
【発明の実施の形態】
以下、長尺体としてケーブルが適用された本発明の実施の形態について図面を参照して詳細に説明する。
【００１９】
まず、実施の形態に係るケーブル収納方法は、ケーブル収納中間治具を組立てる工程と、ケーブル収納中間治具の巻枠部外周面にケーブルを巻き付けて収容する工程と、ケーブル収納中間治具内に収容されたケーブルを一方の外殻部品に移動し格納させた後に他方の外殻部品と巻枠部品を取外す工程と、ケーブルが格納された一方の外殻部品に蓋部品を組込んでケーブル収納具を組立てる工程の各工程を有することを特徴としている。
【００２０】
そして、上記ケーブル収納中間治具１００は、図１に示す一対の外殻部品１０と図２に示す巻枠部品３０とでその主要部が構成されている。
【００２１】
上記外殻部品１０は、図１に示すように中央に円形状の開口１１を有しこの外側に平坦でリング状の支持壁１２を有する円盤状本体１３と、円盤状本体１３の外周縁部にその外周方向に亘り立設された外周壁１４と、円盤状本体１３の開口１１縁部にその開口１１縁方向に亘り立設された嵌合壁１５と、円盤状本体１３の外周縁に設けられた支持壁側スリット部１６と上記外周壁１４の支持壁側スリット部１６に対応した部位に設けられた外周壁側スリット部１７から成りケーブル収納口の一部を構成するスリットｓとで構成されている。
【００２２】
他方、巻枠部品３０は、図２に示すように上記一対の外殻部品１０、１０の各嵌合壁１５内に摺動可能に嵌入される円筒状の嵌合部３１と、嵌合部３１における外周面の幅方向中央部に外周方向に亘り立設された略リング形状の仕切り体３２と、仕切り体３２の外周縁部に設けられかつ仕切り体３２を中央にして上記嵌合部３１外周面と略並行に延びる円筒状の巻枠部３３とでその主要部が構成されると共に、上記嵌合部３１にはその巻取り中心軸方向でかつ互いに反対方向に延びる６本の係止爪３４が付設されている。
【００２３】
そして、図３に示すように巻枠部品３０を中央にしてその両側から一対の第一、第二外殻部品１０、１０を対向配置させると共に、第一、第二外殻部品１０、１０の各嵌合壁１５内に上記巻枠部品３０の嵌合部３１を嵌入させ、かつ、第一、第二外殻部品１０、１０における各嵌合壁１５の基端側円盤状本体１３に上記係止爪３４をそれぞれ係止させ、各外殻部品１０、１０と巻枠部品３０とを互いに着脱可能に一体化させて本実施の形態に係るケーブル収納中間治具１００の組立ては完成する（図４参照）。
【００２４】
尚、組立てられたケーブル収納中間治具１００内においては、巻枠部品３０の巻枠部３３外周面と各外殻部品１０、１０の外周壁１４および支持壁１２とで図示外のケーブル収納空間が形成されている
次に、組立てられた上記ケーブル収納中間治具１００内にケーブルｋを収容するには以下のようにしてこれを行う。
【００２５】
まず、図４〜図５に示すように外周壁１４および支持壁１２に各々設けられた支持壁側スリット部１６と外周壁側スリット部１７から成る各外殻部品１０、１０のスリットｓの位置を整合させてケーブル収納口４０を形成し、かつ、上記巻枠部３１の巻取り中心軸と略平行に伸ばされたケーブルｋの任意部位を図５に示すようにその幅方向一端側から上記ケーブル収納口４０に挟み込む。
【００２６】
そして、図６に示すように一対の第一、第二外殻部品１０、１０を互いに逆方向へ回転させてそれぞれのスリットｓにより挟み込まれた部位のケーブルｋを上記ケーブル収納空間内に引き込み、かつ、引き込まれたケーブルｋを巻枠部品３０の巻枠部３３外周面に巻き付けて上記ケーブル収納中間治具１００内にケーブルｋが収容される。
【００２７】
次に、ケーブルｋが収容されたケーブル収納中間治具１００についてその一方の外殻部品１０を下側にして平面上に載置し、かつ、ケーブル収納中間治具１００全体を緩く振ることにより、一方の外殻部品１０における外周壁１４と支持壁１２とで形成される収納スペース４１（図７参照）内に、上記巻枠部品３０の巻枠部３３外周面に巻き付けられたケーブル（図示せず）をその巻取り形状が保たれた状態で移動させ、次いで、他方の外殻部品と巻枠部品（共に図示せず）を上記一方の外殻部品１０から取外し、更に、図８に示す蓋部品５０を以下に述べるように上記一方の外殻部品１０に組込んでケーブル収納具は完成する。
【００２８】
すなわち、上記蓋部品５０は、図８に示すように外殻部品１０の上記円盤状本体１３と略同一形状を有する蓋本体５１と、蓋本体５１の開口５２縁部に立設されその先端部が外殻部品１０における嵌合壁１５の基端側円盤状本体１３に係止される複数の係止爪５３とでその主要部が構成されている。
【００２９】
そして、上記収納スペース４１にケーブルが格納された一方の外殻部品１０に対し、その開放側を閉止しかつ巻枠部３３における上記巻取り中心軸を中心にして互いに回転可能に連結される上記蓋部品５０を組込んで本実施の形態に係るケーブル収納具６０は完成する（図９参照）。
【００３０】
このように実施の形態に係るケーブル収納具６０においては、図２８〜図３０に示す従来のケーブル収納具と比較してその厚さ寸法が略半分となるため、大きな保管容積を必要とせず、かつ、多段に積み重ねた場合の安定性も改善される利点を有している。
【００３１】
次に、図１０〜図２４は本発明の変形例に係る実施の形態を示している。
【００３２】
まず、図１０は外殻部品の平面側斜視図、図１１は外殻部品の底面側斜視図、図１２は巻枠部品の斜視図、図１３は組立てられたケーブル収納中間治具の斜視図、図１４は蓋部品の平面側斜視図、図１５は蓋部品の底面側斜視図、図１６は完成されたケーブル収納具の平面側斜視図、図１７はケーブル収納具の底面側斜視図、図１８は他の変形例に係る蓋部品の平面側斜視図、図１９はこの蓋部品の底面側斜視図をそれぞれ示している。
【００３３】
また、図２０（Ａ）は上記外殻部品の平面図、図２０（Ｂ）はその概略断面図、図２０（Ｃ）はその底面図、図２１（Ａ）は上記巻枠部品の平面図、図２１（Ｂ）はその概略断面図、図２２（Ａ）は上記ケーブル収納中間治具の平面図、図２２（Ｂ）はその概略断面図、図２２（Ｃ）はその側面図、図２３（Ａ）は他の変形例に係る上記蓋部品の平面図、図２３（Ｂ）はその概略断面図、図２４（Ａ）はこの蓋部品が組込まれた他の変形例に係るケーブル収納具の平面図、図２４（Ｂ）はその概略断面図、図２４（Ｃ）はその側面図である。
【００３４】
以下、変形例に係る実施の形態を詳細に説明する。
【００３５】
すなわち、この実施の形態に係る外枠部品１０は、図１０〜図１１および図２０（Ａ）〜（Ｃ）に示すように外周壁１４における外周壁側スリット部１７形成部位の一部が嵌合壁１５側に変位されて段差面７１を形成しかつこの段差面７１に対向した部位に円盤状本体１３縁部から段差面７１と略平行に延びる係止片７２が付設されている点と、外殻部品１０における円盤状本体１３の外周壁１４形成側とは反対面上に、他の外殻部品における円盤状本体の上記反対面と相互に嵌合可能な形状を有する凹凸７３が設けられている点を除き、図１に示した外枠部品１０と略同一である。
【００３６】
また、この実施の形態に係る巻枠部品３０は、図１２および図２１（Ａ）〜（Ｂ）に示すように嵌合部３１に付設されている各係止爪３４の先端部に外枠部品１０の円盤状本体１３縁部に係合する係合凸部７４が設けられている点と、巻枠部品３０における巻枠部３３の外径が巻枠部３３の巻取り中心軸の一方向に向かって単調に減少している点（図２１Ｂ参照）を除き、図２に示した巻枠部品３０と略同一である。
【００３７】
尚、これ等外枠部品１０や巻枠部品３０は、ナイロン、ポリプロピレン等の弾力性に富む素材により構成されている。
【００３８】
また、図４に示すケーブル収納中間治具と同様、一対の第一、第二外殻部品１０、１０と巻枠部品３０とが互いに着脱可能に一体化されて変形例に係る実施の形態のケーブル収納中間治具１００が組立てられる（図１３および図２２Ａ〜Ｃ参照）。
【００３９】
そして、このケーブル収納中間治具１００を組立てる際、外殻部品１０と巻枠部品３０はナイロン、ポリプロピレン等の弾力性に富む素材で構成されているため、嵌合部３１に付設されている各係止爪３４の先端部を巻枠部品３０の内径方向に若干押し込むことにより各係止爪３４は容易に変形して各外殻部品１０の嵌合壁１５内に巻枠部品３０の嵌合部３１を簡単に嵌入させることができ、しかも、各係止爪３４の先端に設けられた係合凸部７４が外枠部品１０の円盤状本体１３縁部に強固に係合するため、組立てられたケーブル収納中間治具１００内にケーブルを収納する際に外殻部品１０と巻枠部品３０とが分離され難く収納操作の完全性が図れると共に、一方の外殻部品１０から他方の外殻部品１０と巻枠部品３０とを取外す際には、上記係止爪３４の先端部を巻枠部品３０の内径方向に若干折り曲げてその係合凸部７４と外枠部品１０における円盤状本体１３縁部との係合を解くことにより簡単に取外すことが可能となる。
【００４０】
更に、各外殻部品１０のスリットの位置を整合させてケーブル収納口４０を形成した際、各外殻部品１０に設けた段差面７１、７１の作用により図１３に示すようにケーブル収納口４０へのケーブルの引き込みが容易になると共に、上記巻枠部品３０における巻枠部３３の外径が巻枠部３３の巻取り中心軸の一方向に向かって単調に減少しているため、巻枠部３３外周面に巻き付けられるケーブルは外径が減少している側の外殻部品１０に偏って巻き取られ易くなり、一方の外殻部品１０の収納スペース内へケーブルをその巻取り形状を保った状態で簡単に移動させることが可能となる。また、外殻部品１０における円盤状本体１３の外周壁１４形成側とは反対面上に他の外殻部品における円盤状本体の上記反対面と相互に嵌合可能な形状を有する凹凸７３が設けられているため、複数のケーブル収納中間治具１００を重ねて保管する場合の重ね安定性を著しく改善することが可能となる。
【００４１】
尚、図２０（Ａ）に示すように外殻部品１０における円盤状本体１３の外周壁１４と嵌合壁１５との間に断面円弧状の内周壁７５を複数設ける構成を採ってもよい。この様な構成を採ることにより一方の外殻部品１０における収納スペース内へケーブルを移動させた際、ケーブルの嵌合壁１５側への逸脱を防止することが可能となる。
【００４２】
次に、この実施の形態に係る蓋部品５０は、図１４〜図１５に示すように蓋本体５１の開口５２縁部に立設されている各係止爪５３の先端部に外枠部品１０の円盤状本体１３縁部に係合する係合凸部７６が設けられている点を除き、図８に示した蓋部品５０と略同一である。
【００４３】
そして、収納スペースにケーブルが格納された一方の外殻部品１０に対し、その開放側を閉止しかつ巻枠部３３における上記巻取り中心軸を中心にして互いに回転可能に連結される上記蓋部品５０を組込んで変形例に係る実施の形態のケーブル収納具６０は完成する（図１６参照）。
【００４４】
この変形例に係る実施の形態のケーブル収納具６０によれば、蓋部品５０における各係止爪５３の先端部に設けられた係合凸部７６が外枠部品１０の円盤状本体１３縁部に強固に係合するため、組立てられたケーブル収納具６０の外殻部品１０と蓋部品５０とが分離され難くなり、しかも、外枠部品１０の段差面７１に対向した部位には円盤状本体１３縁部から段差面７１と略平行に延びる係止片７２が付設されているため、ケーブル収納具６０内に収納したケーブルの先端部を外枠部品１０の段差面７１と係止片７２に挟んで固定させることが可能となる。
【００４５】
次に、他の変形例に係る蓋部品は、図１８〜図１９および図２３に示すように蓋部品５０の係止爪５３形成側とは反対面上に、他の蓋部品における蓋本体の上記反対面並びに外殻部品１０における円盤状本体１３の外周壁１４形成側とは反対面と相互に嵌合可能な形状を有する凹凸７７が設けられている点を除き、図１４〜図１５に示した変形例に係る蓋部品と略同一である。
【００４６】
そして、図１８等に示された他の変形例に係る蓋部品が組込まれた実施の形態に係るケーブル収納具（図２４参照）によれば、図１６〜図１７に示すケーブル収納具が具備する利点に加え、蓋部品５０の係止爪５３形成側とは反対面上に設けた凹凸７７の作用により、複数のケーブル収納具を重ねて保管したりケーブル収納具とケーブル収納中間治具とを重ねて保管するような場合に重ね安定性を改善できる利点を有している。
【００４７】
【実施例】
以下、本発明の実施例を具体的に説明する。
【００４８】
図１０〜図１１に示す外殻部品１０、図１２に示す巻枠部品３０および図１４〜図１５に示す蓋部品５０を射出成形法により製作した。
【００４９】
各素材にはナイロンを選択し、各部品の肉厚を１ｍｍとした。また、外殻部品１０の外形厚さは５ｍｍ、スリットｓの幅は４ｍｍとした。
【００５０】
そして、一対の外殻部品１０と巻枠部品３０とで図１３に示すケーブル収納中間治具を組立てケーブルの巻取り操作を行ったところ、一対の外殻部品１０と巻枠部品３０は滑らかに摺動回転し、ケーブル収納中間治具内に簡単にケーブルを収納させることができ、しかも、ケーブルは一方の外殻部品１０側の巻枠部３３に偏って巻き取られた。
【００５１】
また、ケーブル収納後、一方の外殻部品１０側にケーブルを移動させ、この外殻部品１０から他方の外殻部品と巻枠部品を取外したところ、簡単に取外し操作を行うことができた。
【００５２】
続いて、ケーブルが格納された外殻部品１０に対し、その開放側から上記蓋部品５０を組合わせたところ、厚さ５ｍｍのケーブル収納具内に幅４ｍｍ弱のケーブルを収納することができた。
【００５３】
【発明の効果】
本発明によれば、長尺体が収納される長尺体収納具の厚さ（高さ）寸法を従来の略半分に低減させることが可能となる。
【００５４】
このため、複数の長尺体収納具を重ねて保管する場合にその保管容積（スペース）を従来の半分に低減でき、かつ、重ねた場合の安定性も改善できる効果を有している。
【図面の簡単な説明】
【図１】実施の形態に係る外殻部品の概略斜視図。
【図２】実施の形態に係る巻枠部品の概略斜視図。
【図３】実施の形態に係る長尺体収納中間治具の分解斜視図。
【図４】実施の形態に係る長尺体収納中間治具の概略斜視図。
【図５】実施の形態に係る長尺体収納中間治具の概略斜視図。
【図６】実施の形態に係る長尺体収納中間治具の概略斜視図。
【図７】実施の形態に係る外殻部品の概略斜視図。
【図８】実施の形態に係る蓋部品の概略斜視図。
【図９】実施の形態に係る長尺体収納具の概略斜視図。
【図１０】他の実施の形態に係る外殻部品の平面側斜視図。
【図１１】他の実施の形態に係る外殻部品の底面側斜視図。
【図１２】他の実施の形態に係る巻枠部品の斜視図。
【図１３】他の実施の形態に係るケーブル収納中間治具の斜視図。
【図１４】他の実施の形態に係る蓋部品の平面側斜視図。
【図１５】他の実施の形態に係る蓋部品の底面側斜視図。
【図１６】他の実施の形態に係るケーブル収納具の平面側斜視図。
【図１７】他の実施の形態に係るケーブル収納具の底面側斜視図。
【図１８】更に別の実施の形態に係る蓋部品の平面側斜視図。
【図１９】更に別の実施の形態に係る蓋部品の底面側斜視図。
【図２０】図２０（Ａ）は他の実施の形態に係る外殻部品の平面図、図２０（Ｂ）はその概略断面図、図２０（Ｃ）はその底面図。
【図２１】図２１（Ａ）は他の実施の形態に係る巻枠部品の平面図、図２１（Ｂ）はその概略断面図。
【図２２】図２２（Ａ）は他の実施の形態に係るケーブル収納中間治具の平面図、図２２（Ｂ）はその概略断面図、図２２（Ｃ）はその側面図。
【図２３】図２３（Ａ）は更に別の実施の形態に係る蓋部品の平面図、図２３（Ｂ）はその概略断面図。
【図２４】図２４（Ａ）は更に別の実施の形態に係る蓋部品が組込まれた変形例に係るケーブル収納具の平面図、図２４（Ｂ）はその概略断面図、図２４（Ｃ）はその側面図。
【図２５】従来例に係る外枠部品の概略斜視図。
【図２６】従来例に係る巻枠部品の概略斜視図。
【図２７】従来例に係る長尺体収納具の分解斜視図。
【図２８】従来例に係る長尺体収納具の概略斜視図。
【図２９】従来例に係る長尺体収納具の概略斜視図。
【図３０】図３０（Ａ）〜（Ｂ）は従来例に係る長尺体収納具内に長尺体を収納させる方法を示す説明図。
【図３１】図３１（Ａ）は従来例に係る外殻部品の平面図、図３１（Ｂ）はその概略断面図、図３１（Ｃ）はその底面図。
【図３２】図３２（Ａ）は従来例に係る巻枠部品の平面図、図３２（Ｂ）はその概略断面図。
【図３３】図３３（Ａ）は従来例に係る長尺体収納具の平面図、図３３（Ｂ）はその概略断面図、図３３（Ｃ）はその側面図。
【符号の説明】
１０  外殻部品
１２  支持壁
１３  外周壁
１５  嵌合壁
３０  巻枠部品
３１  嵌合部
３３  巻枠部
５０  蓋部品
６０  ケーブル収納具
ｓ  スリット
【図１】
2005015111.tif 000003
【図２】
2005015111.tif 000004
【図３】
2005015111.tif 000005
【図４】
2005015111.tif 000006
【図５】
2005015111.tif 000007
【図６】
2005015111.tif 000008
【図７】
2005015111.tif 000009
【図８】
2005015111.tif 000010
【図９】
2005015111.tif 000011
【図１０】
2005015111.tif 000012
【図１１】
2005015111.tif 000013
【図１２】
2005015111.tif 000014
【図１３】
2005015111.tif 000015
【図１４】
2005015111.tif 000016
【図１５】
2005015111.tif 000017
【図１６】
2005015111.tif 000018
【図１７】
2005015111.tif 000019
【図１８】
2005015111.tif 000020
【図１９】
2005015111.tif 000021
【図２０】
2005015111.tif 000022
【図２１】
2005015111.tif 000023
【図２２】
2005015111.tif 000024
【図２３】
2005015111.tif 000025
【図２４】
2005015111.tif 000026
【図２５】
2005015111.tif 000027
【図２６】
2005015111.tif 000028
【図２７】
2005015111.tif 000029
【図２８】
2005015111.tif 000030
【図２９】
2005015111.tif 000031
【図３０】
2005015111.tif 000032
【図３１】
2005015111.tif 000033
【図３２】
2005015111.tif 000034
【図３３】
2005015111.tif 000035